(57)【特許請求の範囲】
【請求項１】
夜間において屋外の照明に照らされる場所に蛍の幼虫を生育させるための水路を有した蛍ビオトープの管理方法であって、
水路の水底に蛍の幼虫が照明の光から退避可能な退避場所を設け、
蛍の幼虫が水路において生育する時期においては、照明の光を制限する光制限対策を行わずに、蛍の幼虫が水路から上陸して蛹化する時期から蛍の成虫が活動を行う時期においては、光制限対策を行うことを特徴とする蛍ビオトープの管理方法。
【請求項２】
退避場所は、水底に敷設された４．７５ｍｍ以上で１２８ｍｍよりも小さい粒径の礫群より形成されたことを特徴とする請求項１に記載の蛍ビオトープの管理方法。
【発明の詳細な説明】
【技術分野】
【０００１】
本発明は、夜間において屋外の照明に照らされる場所に蛍の幼虫を生育させるための水路を有した蛍ビオトープ（蛍生息地）の管理方法に関する。
【背景技術】
【０００２】
蛍が生育するための蛍ビオトープは、幼虫期を過ごすとともに、カワニナ等の幼虫の餌が生息する水質環境を備えた水路と、蛍の幼虫が水路から上陸して蛹化・羽化する場所となる土壌環境を備えた陸部と、蛍の成虫が飛翔、交尾、産卵、休息できる空間環境とが必要とされる。
また、蛍は夜行性であるため、街灯、家灯、自動車のヘッドライト等の照明は、蛍の成虫の移動や配偶活動を阻害したり、蛍の幼虫の行動に影響を及ぼすこと、即ち、「光害」が問題視されている。
蛍の幼虫は、水路から上陸した後、土中に潜って蛹室を作るため、上陸した場所の状況が蛹化に適している土壌環境である必要がある。つまり、蛍の幼虫の蛹化には、植物が茂っていて柔らかく、団粒構造で保湿性、通気性に富み、土壌温度の寒暖差が少なく、長期間安定した土壌環境が必要であり、土壌が乾燥して硬く固まっているような場合は、幼虫が土中に潜れずに蛹化できなかったり、羽化しても土中から地上に這い出してこれなくなって、死んでしまう。
例えば、ホタルの生息に配慮した河床や護岸工事を行っても、幼虫は、街灯や民家の灯りを避けて、橋脚の下の暗所から上陸してボックスカルバートの壁面を登り、蛹化場所を見つけられず死んでしまうことがある。
即ち、従来、蛍の幼虫を蛹化・羽化させたい土壌環境の上陸場所に繋がる水路が夜間において照明に照らされる状況下にあっては、当該水路に生息する幼虫が光を避けるため、光の届かない暗所に逃げてしまって、蛹化・羽化に適さない場所に上陸してしまうことがあった。
このため、蛍ビオトープでは、四季を通じた光害対策が必要であるとされ、例えば、赤色や黄色の照明を用いて照度を小さく制限することが報告されている（非特許文献１参照）。
【先行技術文献】
【非特許文献】
【０００３】
【非特許文献１】宮下衛著、「ゲンジボタル・ヘイケボタル幼虫に対するＬＥＤ照明の影響」、土木学会論文集Ｇ  Ｖｏｌ．６５  Ｎｏ．１，１−７，２００９．２
【発明の概要】
【発明が解決しようとする課題】
【０００４】
しかしながら、夜間において屋外の照明に照らされる場所に蛍の幼虫を生育させるための水路を有した蛍ビオトープにおいて、四季（一年）を通じて、例えば、街灯、家灯として赤色や黄色の照明を用いて照度を小さく制限したり、街灯、家灯を消灯したり、自動車のヘッドライトの灯りを制限するために蛍ビオトープ付近の交通規制を行う等の光制限対策を行うことは困難である。つまり、四季を通じて灯りを制限することは防犯上の面等での問題があり、また、四季を通じて交通規制を行うことは周辺住民の理解を得ることが難しいという問題があった。
本発明は、水路の水底に蛍の幼虫が照明の光から退避可能な退避場所を設けることで、蛍の幼虫が水路において生育する時期において光制限対策を行わないようにして、四季を通じて灯りを制限することによる防犯上の面等での問題や、四季を通じて交通規制を行う場合に周辺住民の理解を得ることが難しいという問題等を改善できる蛍ビオトープの管理方法を提供するものである。
【課題を解決するための手段】
【０００５】
本発明に係る蛍ビオトープの管理方法は、夜間において屋外の照明に照らされる場所に蛍の幼虫を生育させるための水路を有した蛍ビオトープの管理方法であって、水路の水底に蛍の幼虫が照明の光から退避可能な退避場所を設け、蛍の幼虫が水路において生育する時期においては、照明の光を制限する光制限対策を行わずに、蛍の幼虫が水路から上陸して蛹化する時期から蛍の成虫が活動を行う時期においては、光制限対策を行うので、蛍の幼虫を蛹化・羽化させたい所望の場所に上陸させることができて、かつ、蛍の蛹化・羽化、及び、蛍の成虫の飛翔、交尾、産卵等の活動を妨げない蛍ビオトープを維持できるようになるとともに、四季を通じて灯りを制限することによる防犯上の面等での問題や、四季を通じて交通規制を行う場合に周辺住民の理解を得ることが難しいという問題等を改善できるようになる。
退避場所は、水底に敷設された４．７５ｍｍ以上で１２８ｍｍよりも小さい粒径の礫群より形成されたので、夜間において、水路中に照明の光が到達したとしても、蛍の幼虫は複数の礫の間に隠れることにより、光を避けることが可能となるので、蛍の幼虫を蛹化・羽化させたい所望の場所から、蛍の幼虫が逃げ出してしまうようなことを抑制できるようになる。
【図面の簡単な説明】
【０００６】
【図１】蛍ビオトープ及び蛍ビオトープ付近の環境を示す図。
【図２】幼虫の避難場所の効果を確認するための実験装置を示す図。
【図３】実験結果を示すグラフ。
【発明を実施するための形態】
【０００７】
図１に示すように、実施形態に係る蛍ビオトープ１は、例えば、歩道２の脇の公園等に創生されたものであり、幼虫期を過ごすとともに、カワニナ等の幼虫の餌が生息する水質環境を備えた水路３と、蛍の幼虫１０が水路３から上陸して蛹化・羽化する場所となる土壌環境を備えた陸部と、蛍の成虫が飛翔、交尾、産卵、休息できる空間環境とを有し、蛍を蛹化・羽化させたい土壌環境の所望の上陸場所に繋がる水路３が、夜間において、街灯４、図外の家灯、自動車５のヘッドライト６等の照明に照らされる蛍ビオトープである。
尚、蛍の幼虫１０が水路３から上陸して蛹化・羽化する場所となる土壌環境とは、例えば、植物が茂っていて柔らかく、団粒構造で保湿性、通気性に富み、土壌温度の寒暖差が少なく、長期間安定した土壌環境のことである。
【０００８】
そして、当該蛍ビオトープ１の水路３の水底には、蛍の幼虫１０が夜間の照明（人工照明）の光から退避可能な退避場所が形成されている。当該退避場所は、水路３の水底に敷設された、４．７５ｍｍ以上で１２８ｍｍよりも小さい粒径の礫７群により形成されている。即ち、４．７５ｍｍ以上で１２８ｍｍよりも小さい粒径の複数の礫７，７…が水路３の水底に敷設されたことにより退避場所が形成され、当該水路３に蛍の幼虫１０が放流されている。
【０００９】
当該蛍ビオトープ１によれば、夜間において、水路３中に照明の光が到達したとても、蛍の幼虫１０は複数の礫７，７…の間に隠れることにより、光を避けることが可能となるので、蛍の幼虫１０を蛹化・羽化させたい所望の場所から、蛍の幼虫１０が逃げ出してしまうようなことを抑制できる蛍ビオトープとなる。
つまり、従来、蛍の幼虫を蛹化・羽化させたい土壌環境の上陸場所に繋がる水路が夜間において照明に照らされる状況下にあっては、蛹化や羽化しなかったり、当該水路に生息する幼虫が光を避けるため、光の届かない暗所に逃げて、蛹化・羽化に適さない場所に上陸してしまうことがあったが、実施形態の蛍ビオトープ１では、蛍の幼虫１０を蛹化・羽化させたい土壌環境の上陸場所に繋がる水路３の水底に、幼虫１０が光を避けるための上述した避難場所を設けたので、蛍の幼虫１０を蛹化・羽化させたい土壌環境の上陸場所に繋がる水路３が夜間において照明に照らされるような状況下にあったとしても、当該水路３に生息する幼虫１０が当該場所に留まり、幼虫１０を蛹化・羽化に適した場所に上陸させることができるようになる。
【００１０】
尚、本発明者らは、水路３の水底に４．７５ｍｍ以上で１２８ｍｍよりも小さい粒径の礫７群を敷設した退避場所を設けることにより、当該水路３に照明の光が到達しても蛍の幼虫１０が逃げ出さない確率が高いことを、実験により確認した。
【００１１】
以下、実験装置、及び、実験結果について説明する。
実験装置は、非特許文献１に開示された実験装置を参考にした。
即ち、図２（ａ）に示すように、上部開口の直方体状の箱２０と、照明となるＬＥＤ２１が内部上方に設置されてＬＥＤ２１で照らされるＬＥＤ照明区３０を形成するための第１遮光カバー２２と、外部の光を遮断した暗区３１を形成するための第２遮光カバー２３とを用いて、図２（ｂ）に示すように、箱２０の上部開口の一方の半分を第１遮光カバー２２で覆ってＬＥＤ照明区３０を形成し、箱２０の上部開口の他方の半分を第２遮光カバー２３で覆って暗区３１を形成した。
【００１２】
実験条件は、以下の通りである。
（１）使用幼虫と数：ゲンジボタルの幼虫（おおよそ４齢〜終齢）１０匹
（２）ＬＥＤ照明区及び暗区の底質条件：４．７５ｍｍ以上で１２８ｍｍよりも小さい粒径の礫群を敷設した中礫あり、及び、中礫なしの２パターン
（３）ＬＥＤの光の色：昼光色、電球色の２色
（４）照度（ｌｘ）：０．１、１、１０、２０、４０、６０の６段階
（５）照射時間（ｈｒ）：１、４、８、１２の４パターン
（６）室温（℃）：２０（相対湿度６０％程度）
（７）繰り返し実験回数：最低限Ｎ＝５
【００１３】
尚、第１遮光カバー２２の４つの側壁のうちの１つの側壁の下端部は、ＬＥＤ照明区３０と暗区３１との境界を形成する仕切板２４に形成されており、ＬＥＤ照明区３０と暗区３１との間を幼虫１０が自由に行き来できるように、仕切板２４の下端と箱２０の内底の底質（中礫あり、中礫なし）との間に、数ｍｍの間隔が形成される構成とした。
また、照度は、ＬＥＤ照明区３０の底面の中心位置での照度とした。当該照度は、第１遮光カバー２２の高さを変化させることと、ＬＥＤ２１を寒冷紗等の遮蔽材で覆うことにより調整した。
【００１４】
実験手順
（１）内底面に中礫を敷いて水を浸した箱２０と、内底面に中礫を敷かずに水だけを浸した箱２０とを準備し、室温２０℃（相対湿度６０％程度）の環境下において、９：００〜２０：００の間にＬＥＤ照明区３０となる部分にゲンジボタルの幼虫を１０匹投入した。
（２）箱２０の上部開口の一方の半分を遮光カバー２２で覆ってＬＥＤ照明区３０を形成し、箱２０の上部開口の他方の半分を遮光カバー２３で覆って暗区３１を形成した後、１時間後、４時間後、８時間後、１２時間後に、ＬＥＤ照明区３０に残っている幼虫の数を確認した。
（３）各色及び各照度における実験は、それぞれ５回繰り返した。
【００１５】
実験結果を図３に示す。実験結果から以下のことが判明した。
（１）中礫ありの場合、照射時間、ＬＥＤ色、照度が違っていても、所定時間後にＬＥＤ照明区３０に残っていた幼虫の割合が高く、照明の光が到達しても蛍の幼虫が逃げ出さない確率が高いことが証明された。
（２）中礫なしの場合、照射時間、ＬＥＤ色、照度が違っていても、所定時間後にＬＥＤ照明区３０に残っていた幼虫の割合が低く、幼虫が暗区３１に非難する確率（ＬＥＤ照明区３０から逃げ出す確率）が高いことが証明された。
このように、水路の水底に４．７５ｍｍ以上で１２８ｍｍよりも小さい粒径の礫群を敷設した退避場所を設けることにより、照明の光が到達しても蛍の幼虫が逃げ出さない確率が高いことを実験により確認した。
【００１６】
そこで、実施形態では、例えば、公園、河川敷、丘陵地等の屋外に創生された蛍ビオトープ１において、蛍の幼虫１０を蛹化・羽化させたい所望の場所の近傍に位置して、かつ、街灯４、家灯、自動車５のヘッドライト６等の夜間の照明に照らされる水路３の水底に、４．７５ｍｍ以上で１２８ｍｍよりも小さい粒径範囲の礫７を複数敷き詰めて蛍の幼虫１０が照明の光から退避可能な退避場所としての礫７層を形成することにより、夜行性の蛍の幼虫１０が礫７と礫７との間に入り込んで照明の光から退避でき、蛍の幼虫１０が蛹化・羽化させたい所望の場所の近傍に位置する水路３から逃げ出してしまうことを抑制できる環境を構築する。
そして、蛍の幼虫１０が水路３において生育する幼虫時期である８月〜３月の間においては、街灯４、家灯を消灯したり、自動車５のヘッドライト６の灯りを制限するために蛍ビオトープ付近の交通規制を行う等の光制限対策を行わないようにすることで、光制限対策を行う期間を短くできるので、防犯上好ましくない状態となる期間を短くできたり、交通規制による不便な時期を短くできるようになり、かつ、蛍の幼虫１０が上陸して蛹化し、成虫が発生する時期である４月〜７月においては、街灯４、家灯を消灯したり、自動車５のヘッドライト６の灯りを制限するために蛍ビオトープ付近の交通規制を行う等の光制限対策を施すことで、蛍の蛹化・羽化、及び、蛍の成虫の飛翔、交尾、産卵等の活動を妨げない蛍ビオトープ１を維持できるようにした。
【００１７】
実施形態の蛍ビオトープ１の管理方法によれば、夜間において屋外の照明に照らされる場所に蛍の幼虫１０を生育させるための水路３の水底に蛍の幼虫１０が照明の光から退避可能な退避場所を設けて、蛍ビオトープ１において四季を通じた光制限対策を行わずに、蛍の幼虫１０が上陸して蛹化し、成虫が発生する時期である４月〜７月においてのみ光制限対策を行なうようにしたので、蛍の幼虫１０を蛹化・羽化させたい所望の場所に上陸させることができて、かつ、蛍の蛹化・羽化、及び、蛍の成虫の飛翔、交尾、産卵等の活動を妨げない蛍ビオトープ１を維持できるようになるとともに、四季を通じて灯りを制限することによる防犯上の面等での問題や、四季を通じて交通規制を行う場合に周辺住民の理解を得ることが難しいという問題を改善できるようになる。
【００１８】
尚、実施形態では、「ゲンジボタル」を生息させる蛍ビオトープの管理方法について説明したが、本発明は、「ヘイケボタル」を生息させる蛍ビオトープの管理方法にも適用できると考えられる。
【００１９】
また、実施形態では、水路３の水底に敷設された４．７５ｍｍ以上で１２８ｍｍよりも小さい粒径の礫群により退避場所を形成したが、４．７５ｍｍよりも小さい礫や１２８ｍｍよりも大きい礫を用いて退避場所を形成してもよい。例えば、４．７５ｍｍよりもやや小さい礫、４．７５ｍｍ以上で１２８ｍｍよりも小さい礫、１２８ｍｍよりもやや大きい礫を混ぜて水路３の水底に敷設することで、避難場所を形成してもよい。
また、蛍の幼虫１０が照明の光から退避可能な退避場所を形成できるものであれば、水路３の水底に礫以外のものを敷設して退避場所を形成してもよい。例えば、水路３の水底に、「玉石・玉砂利・栗石」、「土丹」、「木材（落枝、伐採樹木）・落葉」等を敷設して退避場所を形成してもよい。
【符号の説明】
【００２０】
１  蛍ビオトープ、３  水路、７  礫、１０  蛍の幼虫。
【図１】
0006678065.tif 000002
【図２】
0006678065.tif 000003
【図３】
0006678065.tif 000004